(57)【要約】      （修正有）【課題】順応しながら学習する方法及び装置は、同じ製造者により製造された同じタイプのディスク用の書き込み方法を解消するために用いられる。【解決手段】書き込み動作が完了すると、書き込みデータの書き込み品質をチェックするために、前回の書き込みデータが再生される。もしも書き込み品質が要求を満たしていないときは、書き込む方法が調節され、新たな書き込み方法が、次の書き込み動作に使用されるために、メモリに記録される。このように、書き込み品質を維持するために、現在の書き込み動作による書き込み品質が以前の書き込み動作による品質よりも改善される。【選択図】図２
2008047216.tif 000002
【特許請求の範囲】
【請求項１】
特定の製造者により製造された特定のタイプの光ディスクに書き込むために光ディスクドライブ装置で使用される順応しながら学習する方法であって、
メモリに記録された第１の書き込み方法に従って、書き込みデータを得るための書き込み動作を実行するステップと、
前記書き込み動作が完了した後に、前記書き込みデータの書き込み品質を検出するステップと、
前記書き込みデータの書き込み品質に従って、前記第１の書き込み方法を調節する必要があるか否かを決定するステップと、
前記書き込みデータの書き込み品質が予め設定されている判断基準を満たさないときに、第２の書き込み方法を生じさせるように前記第１の書き込み方法を調節し、前記第２の書き込み方法を前記メモリに記録するステップ
を備えたことを特徴とする方法。
【請求項２】
前記第２の書き込み方法は、前記メモリ中に記録されるべき前記第１の書き込み方法を置き換え、前記特定の製造者により製造された特定のタイプの光ディスクの次の書き込み動作を実行するために用いられることを特徴とする請求項１に記載の方法。
【請求項３】
前記メモリに記録された前記第２の書き込み方法に従って、他の書き込みデータを得るための他の書き込み動作を実行するステップと、
前記他の書き込み動作が完了した後に、前記他の書き込みデータの書き込み品質を検出するステップと、
前記他の書き込みデータの書き込み品質に従って、前記第２の書き込み方法を調節する必要があるか否かを決定するステップと、
前記書き込みデータの書き込み品質が前記予め設定されている判断基準を満たさないときに、第３の書き込み方法を生じさせるように前記第２の書き込み方法を調節し、前記第３の書き込み方法を前記メモリに記録するステップ
をさらに備えたことを特徴とする請求項１に記載の方法。
【請求項４】
前記書き込み動作は、ＴＡＯ(Track At Once)書き込み動作、ＳＡＯ(Session At Once)書き込み動作、ＤＡＯ(Disc At Once)書き込み動作又はパッケージライト書き込み動作であることを特徴とする請求項１に記載の方法。
【請求項５】
レーザパワー、パルスの開始点、パルスの終了点又はパルス幅のパラメータを調節することにより、前記第１の書き込み方法を調節することを特徴とする請求項１に記載の方法。
【請求項６】
前記レーザパワーは、書き込みパワー、消去パワー及び／又はバイアスパワーを含むことを特徴とする請求項１に記載の方法。
【請求項７】
前記メモリは、不揮発性メモリであることを特徴とする請求項１に記載の方法。
【請求項８】
前記予め設定されている判断基準は、所定のアクセス失敗率であることを特徴とする請求項１に記載の方法。
【請求項９】
前記第１の書き込み方法は、未確認の光ディスクに書き込むために前記メモリに記録されている予め設定された書き込み方法であることを特徴とする請求項１に記載の方法。
【請求項１０】
前記第１の書き込み方法は、前記特定の製造者により製造された特定のタイプの光ディスクに書き込むために前記メモリに記録されている予め設定された書き込み方法であることを特徴とする請求項１に記載の方法。
【発明の詳細な説明】
【技術分野】
【０００１】
本発明は、書き込み方法を改良するための順応しながら学習する方法及び装置、特に、同一の製造者により製造された同じタイプの光ディスクの書き込み方法を改良するための順応しながら学習する方法及び装置に関するものである。
【背景技術】
【０００２】
一般的に、ホストにより発行された書き込み命令に応じて、書き込み動作を完了するように、全ての関連するデータは、光ディスクドライブ装置により直ちに光ディスクに書き込まれる。書き込み動作処理の間、データは光ディスクドライブ装置の制御素子によりコード化される。制御素子により、例えば、ＣＤのデータは８／１４変調信号にコード化され、ＤＶＤのデータは８／１６変調信号にコード化される。８／１４又は８／１６変調信号は、光ディスクのトラック上に形成されたランド及びピット上方を表し、その結果生じたランド及びピットの記録長さは、３Ｔから１１Ｔの間でなければならない。
【０００３】
書き込み動作中、「ピット」と呼ばれる種類の構造は、光ディスクドライブ装置により放射される比較的パワーの高いレーザ光がトラック上に集光されたときに光ディスクのトラック上に形成され、「ランド」と呼ばれる他の種類の構造は、光ディスクドライブ装置により放射される比較的パワーの低いレーザ光がトラック上に集光されたときに光ディスクのトラック上に形成される。さらに、光ディスク上にランド構造とピット構造を選択的に形成するためのレーザダイオードの駆動信号を決定するために、書き込み方法が光ディスクドライブ装置により参照される。書き込み方法は、一般的に光ディスクドライブ装置の仕様により決定される。
【０００４】
図１ａはＣＤ−Ｒへ書き込みするための書き込み方法の一例を示し、図１ｂはＣＤ−ＲＷへ書き込みするための他の書き込み方法の一例を示す。光ディスクのタイプが異なれば、データ記録層として機能する色素材料が異なるので、ランド１５、ピット１０及びピット２０を含む類似の構造を形成するために、光ディスクのタイプに応じて異なった書き込み方法を適用することが好ましい。例えば、ＣＤ−Ｒの書き込み方法によれば、振幅ＰＷ（書き込みパワー）を有する単一のパルスにより駆動されるレーザダイオードにより、ピット構造をＣＤ−Ｒ上に形成することができる。一方、ＣＤ−ＲＷの書き込み方法によれば、振幅ＰＷ又はＰＢ（バイアスパワー）を有する複数のパルスにより駆動されるレーザダイオードにより、ピット構造をＣＤ−ＲＷ上に形成することができる。さらに、ＣＤ−ＲＷの書き込み方法によれば、振幅ＰＥ（消去パワー）を有する単一のパルスにより駆動されるレーザダイオードにより、ランド構造をＣＤ−ＲＷ上に形成することができる。
【０００５】
同じタイプの光ディスクですら、ディスクの製造者によって色素材料が異なる。従って、書き込み方法も異なる。そのため、新しい光ディスクドライブ装置が商品化される前に、異なった製造者により製造される異なったタイプの光ディスクについて、必ず一連のテストを実行しなければならず、これらのテストされた光ディスクに対する書き込み方法は、光ディスクドライブ装置のメモリに記録される。
【０００６】
例えば、あるＣＤ−Ｒの仕様により提案された書き込み方法は、ＣＤ−Ｒの標準書き込み方法として規定される。他の製造者により製造されたＣＤ−Ｒについては、この標準書き込み方法に１又は複数のパラメータ、例えばパワー、パルスの開始位置、パルスの終了位置及び／又はパルスの幅を調節することによって、書き込み方法を変更する必要がある。このように、異なった製造者により製造されたＣＤ−Ｒに対する書き込み方法は、記録されたＣＤ−Ｒの標準書き込み方法に準じて位置づけられる。同様の変更は、ＤＶＤ＋Ｒ、ＤＶＤ＋ＲＷ、ＤＶＤ−Ｒ、ＤＶＤ−ＲＷ、ＣＤ−Ｒ及びＣＤ−ＲＷなどの他のタイプの光ディスクに応用することができる。
【０００７】
光ディスクが光ディスクドライブ装置に装填されると、最初に、装填された光ディスクのタイプが光ディスクドライブ装置によって決定され、次に、装填された光ディスクの製造者が、装填された光ディスクのデータトラックを参照することにより決定される。装填された光ディスクのタイプ及び製造者が決定された後、装填された光ディスクのための特定の書き込み方法が、光ディスクドライブ装置の制御素子によりメモリから読み出され、その後、所定のランド及びピット構造が、その特定の方法に従って、光ディスクのトラック上に形成される。
【０００８】
残念ながら、メモリの容量に限りがあるため、光ディスクドライブ装置のメモリに、異なった製造者により製造された異なったタイプの全ての光ディスクの書き込み方法を記録することは不可能である。一般的に、大手で、有名な製造者により製造された光ディスクの書き込み方法だけがメモリに記録される。メモリに記録されていない光ディスクの書き込み方法については、標準書き込み方法が適用される。そのため、光ディスクが光ディスクドライブ装置に装填されると、最初に、装填された光ディスクのタイプが光ディスクドライブ装置によって決定され、次に、装填された光ディスクの製造者が、装填された光ディスクのデータトラックを参照することにより決定される。もしも、メモリに装填された光ディスク用の特定の書き込み方法が無い場合、装填された光ディスクに書き込みをするために、メモリに記録された標準書き込み方法が光ディスクドライブ装置により使用される。例えば、標準ＤＶＤ＋Ｒ書き込み方法は、対応する書き込み方法がメモリに記録されていない装填された光ディスクの書き込みに使用される。書き込み動作は、標準書き込み方法によって完了されうるけれども、結果としての書き込み品質は、不満足なものであるかもしれない。例えば、アクセス失敗率が高いとすると、光ディスクに書き込まれたデータは、光ディスクドライブ装置によってうまくアクセスされないかもしれないことを意味する。
【０００９】
ユーザが特定の銘柄の光ディスクを使用したいときは、最適な書き込み方法が重要である。ユーザは、同時に数十枚又は数百枚のディスクを入手するかもしれない。もし、その種類の光ディスクに対する書き込み方法が光ディスクドライブ装置のメモリに記録されておらず、数十枚又は数百枚のディスクの全てについての書き込み動作に、常に標準書き込み方法が用いられるとすると、ユーザは、これら全てのディスクの粗末な書き込み品質に悩まされることになる。
【００１０】
図２は、従来例に係る書き込み品質改良方法のフローチャートを示す。米国特許6,636,468では、レーザのパワーを設定するために（ステップ４２０）、光ディスクドライブ装置により、ＯＰＣ（Optimum Power Control：最適パワー制御）キャリブレーションが実行され（ステップ４１５）、その後、そのレーザパワーで光ディスクにデータの書き込みが開始される（この時点が、開始点として記録される）（ステップ４２５）。
【００１１】
データが光ディスクに書き込まれている間（ステップ４２７）、もしもトリガーがレーザパワーを再評価するための信号が送出したとすると（この時点が、停止点として記録される）（ステップ４３０）、光ディスクドライブ装置は書き込みを停止し、光ディスクドライブ装置により書き込まれたデータが読み出され、チェックされる（ステップ４４０）。もしも、書き込まれたデータの書き込み品質が要求を満たしていない場合、光ディスクドライブ装置のレーザパワーを調節する必要があり、書き込まれたデータの書き込み品質に応じて新たなレーザパワーが決定される（ステップ４４５及びステップ４５５）。一方、書き込まれたデータの書き込み品質が十分であるときは、レーザパワーを調節する必要はない（ステップ４４５）。その後、光ディスクドライブ装置は、上記開始点を見つけ出し（ステップ４５０）、元の又は調節されたレーザパワーでデータが光ディスクに書き込まれる（ステップ４２５）。
【００１２】
上記従来技術によれば、光ディスクドライブ装置は、書き込み動作の実行中にレーザパワーを再評価する。そのため、書き込まれたデータの書き込み品質が十分であったとしても、開始点から新たな書き込み動作が必要であり、すなわち、光ヘッドは以前のトラックに戻るために動かなければならない。この処理は、書き込み動作を遅らせる。さらに、書き込まれたデータを間違いなく連続させるために、複雑な制御を必要とする。さらに、書き込み動作中に書き込み条件の改良が行われるので、レーザパワーの再評価を必要とするか否かの決定をするために、複雑な回路構成が必要である。そうしないと、以前のディスクと同じ製造者により製造された同じタイプの他の光ディスクが装填されたときに、レーザパワー調節処理全体をもう一度実行しなければならない。
【発明の開示】
【００１３】
それゆえ、本発明は、書き込み方法を改良するための順応しながら学習する方法を提供し、改良された書き込み方法は、同じ製造者により製造された同じタイプの次に装填された光ディスクに直接用いることができる。
【００１４】
本発明の一実施形態によれば、特定の製造者により製造された特定のタイプの光ディスクに書き込むために光ディスクドライブ装置で使用される書き込み方法を改良するための順応しながら学習する方法は、メモリに記録された第１の書き込み方法に従って、書き込みデータを得るための書き込み動作を実行するステップと、前記書き込み動作が完了した後に、前記書き込みデータの書き込み品質を検出するステップと、前記書き込みデータの書き込み品質に従って、前記第１の書き込み方法を調節する必要があるか否かを決定するステップと、前記書き込みデータの書き込み品質が予め設定されている判断基準を満たさないときに、第２の書き込み方法を生じさせるように前記第１の書き込み方法を調節し、前記第２の書き込み方法を前記メモリに記録するステップを備えている。
【００１５】
一実施形態において、前記第２の書き込み方法は、前記メモリ中に記録されるべき前記第１の書き込み方法を置き換え、前記特定の製造者により製造された特定のタイプの光ディスクの次の書き込み動作を実行するために用いられる。
【００１６】
一実施形態において、順応しながら学習する方法は、前記メモリに記録された前記第２の書き込み方法に従って、他の書き込みデータを得るための他の書き込み動作を実行するステップと、前記他の書き込み動作が完了した後に、前記他の書き込みデータの書き込み品質を検出するステップと、前記他の書き込みデータの書き込み品質に従って、前記第２の書き込み方法を調節する必要があるか否かを決定するステップと、前記書き込みデータの書き込み品質が前記予め設定されている判断基準を満たさないときに、第３の書き込み方法を生じさせるように前記第２の書き込み方法を調節し、前記第３の書き込み方法を前記メモリに記録するステップをさらに含む。
【００１７】
例えば、前記書き込み動作は、ＴＡＯ(Track At Once)書き込み動作、ＳＡＯ(Session At Once)書き込み動作、ＤＡＯ(Disc At Once)書き込み動作又はパッケージライト書き込み動作である。
【００１８】
例えば、レーザパワー、パルスの開始点、パルスの終了点又はパルス幅のパラメータを調節することにより、前記第１の書き込み方法を調節することが可能である。前記レーザパワーは、書き込みパワー、消去パワー及び／又はバイアスパワーを含んでいてもよい。
【００１９】
一実施形態において、前記メモリは、不揮発性メモリである。
【００２０】
例えば、前記予め設定されている判断基準は、所定のアクセス失敗率であってもよい。
【００２１】
一実施形態において、前記第１の書き込み方法は、未確認の光ディスクに書き込むために前記メモリに記録されている予め設定された書き込み方法である。または、前記第１の書き込み方法は、前記特定の製造者により製造された特定のタイプの光ディスクに書き込むために前記メモリに記録されている予め設定された書き込み方法である。
【図面の簡単な説明】
【００２２】
本発明の上記内容は、以下の詳細な説明及び添付図面を検討すれば、この分野における通常の技術を有する者にとって、たやすく理解できるであろう。
【００２３】
【図１ａ】図１ａは、ＣＤ−Ｒの書き込み方法の一例を描いた概略図である。
【００２４】
【図１ｂ】図１ｂは、ＣＤ−ＲＷの書き込み方法の他の例を描いた概略図である。
【００２５】
【図２】図２は、従来例に係る書き込み方法を改良するための方法のフローチャートである。
【００２６】
【図３】図３は、本発明に係る書き込み方法を改良するための順応しながら学習する方法のフローチャートである。
【発明を実施するための最良の形態】
【００２７】
図３は、本発明に係る書き込み方法を改良するための順応しながら学習する方法のフローチャートを示す。データが書き込まれるために、光ディスクが光ディスクドライブ装置に装填されると（ステップ５１０）、最初に、その光ディスクのタイプ及び製造者が光ディスクドライブ装置により決定され、次に、光ディスクドライブ装置により実行されるために、装填された光ディスク用の第１の書き込み方法がメモリから検索される（ステップ５１５）。次に、レーザパワーを設定するために、光ディスクドライブ装置により、ＯＰＣキャリブレーションが実行され、第１の書き込み方法に従って、そのレーザパワーで光ディスクにデータが書き込まれる（ステップ５２０）。データが完全に光ディスクに書き込まれた後（ステップ５２５）、光ディスクドライブ装置により、前回の書き込みデータが読み出され、書き込み品質がチェックされる（ステップ５３０）。そして、書き込みデータの書き込み品質に従って、その書き込み方法を調節する必要があるか否かが、光ディスクドライブ装置により決定される（ステップ５３５）。もしも、書き込み品質が優れていると決定されると、書き込み方法を調節する必要はないので、第１の書き込み方法は、同じ製造者により製造されたこのタイプの光ディスクに書き込むための標準として用いることができる（ステップ５５０）。反対に、書き込み品質が不十分である、例えば、所定の判断基準を満たさないと決定されると、この書き込み方法は、書き込み品質に応じて調節する必要がある（ステップ５４０）。調節された書き込み方法は、第１の書き込み方法を置き換えるようにメモリ中に記録され（ステップ５４５）、同じ製造者により製造されたこのタイプの光ディスクに書き込むための標準として用いられる。
【００２８】
前回の書き込みデータの書き込み品質に応じて書き込み方法を調節するステップ５４０において、レーザパワーに加えて、複数の書き込みパラメータを調節することができる。例えば、読み出されたピット又はランドの長さ、例えば４．２Ｔが、必要な長さ、例えば４Ｔよりも長いとすると、書き込み方法に記録されたパルス幅を短くする必要があることを意味している。さらに、書き込み方法に記録された他のパラメータ、例えばパルスの開始点及び終了点をチェックし、必要に応じて調節しても良い。
【００２９】
また、本発明において規定された書き込み動作は、ＴＡＯ(Track At Once)書き込み動作、ＳＡＯ(Session At Once)書き込み動作、ＤＡＯ(Disc At Once)書き込み動作又はパッケージライト書き込み動作とすることができる。
【００３０】
一実施形態において、第１の書き込み方法は、未確認の光ディスクに書き込むために前記メモリに記録されている予め設定された書き込み方法とすることができる。本発明に係る順応しながら学習する方法に従って改良された書き込み方法が得られ、光ディスクドライブ装置のメモリに記録された後は、次に装填された同じ製造者により製造された同じタイプの光ディスクは、より良い書き込み方法の下で書き込まれる。それゆえ、上記従来例のように書き込み動作が遅れることもなく、書き込み品質を改良することができる。また、第１の書き込み方法は、路の光ディスクに書き込むために、メモリにすでに記録されている書き込み方法とすることができる。本発明に係る順応しながら学習する方法によれば、すでに存在している書き込み方法を調節された書き込み方法に置き換えることによって、書き込み方法を改良することができる。もちろん、他の光ディスクに対して、本発明に係る順応しながら学習する方法を繰り返すことにより、第２の書き込み方法を第３の書き込み方法に置き換えることによって、書き込み方法をさらに改良することができる。
【００３１】
総括すれば、本発明は、書き込み方法を改良するための順応しながら学習する方法を提供し、改良された書き込み方法は、書き込み動作を停止させ再スタートさせることなく、次に装填された同じ製造者により製造された同じタイプの光ディスクに対して直接的に用いることができる。
【００３２】
本発明に係る順応しながら学習する方法は、制御素子に実装されうる。制御素子は、メモリから第１の書き込み方法を読み出し、新たな書き込み方法をメモリに記録し、元の又は新たな書き込み方法に従って、光ヘッドを制御する。
【００３３】
本発明は、現時点で最も現実的で好ましい実施形態であると思われるものについて記載してあるけれども、本発明は記載された実施形態には限定されないことは理解されるであろう。それどころか、添付した請求項の精神及び範囲に含まれる様々な変形例や類似した配列をカバーすることを意図しており、そのような変形例や類似の構造の全てを包含するように、最も広く解釈されるべきである。
【図１ａ】
2008047216.tif 000003
【図１ｂ】
2008047216.tif 000004
【図２】
2008047216.tif 000005
【図３】
2008047216.tif 000006
【外国語明細書】
2008047216.tif 000007
2008047216.tif 000008
2008047216.tif 000009
2008047216.tif 000010
2008047216.tif 000011
2008047216.tif 000012
2008047216.tif 000013
2008047216.tif 000014
2008047216.tif 000015
2008047216.tif 000016
2008047216.tif 000017
2008047216.tif 000018
2008047216.tif 000019
2008047216.tif 000020
2008047216.tif 000021
2008047216.tif 000022